(57)【要約】【課題】  ＲＩによる被曝量の管理を行うことが可能な核医学診断装置及びＲＩ管理システムを提供する。【解決手段】  検査毎に被検体Ｐに投与するＲＩの情報及び検査を行う操作者の情報を含むＲＩ管理情報を入力する操作部４と、操作部４から入力したＲＩ管理情報を保存するＲＩ情報記憶部２１と、操作部４から入力したＲＩ管理情報に含まれるＲＩが投与された被検体Ｐから放射される放射線を検出して画像データを生成する撮影部１と、撮影部１で生成した画像データを表示する表示部３１と、ＲＩ管理データを算出する演算部２２とを備え、演算部２２は、検査のときに操作部４から入力したＲＩ管理情報に含まれる操作者情報を有するＲＩ管理情報を、ＲＩ情報記憶部２１から読み出してＲＩ管理データを算出し、算出したＲＩ管理データが警告値以上である場合に警告情報を出力する。【選択図】  図１
2007327864.tif 000002
【特許請求の範囲】
【請求項１】
検査毎に被検体に投与するＲＩの情報及びこの被検体の検査を行う操作者の情報を含むＲＩ管理情報を入力する入力手段と、
前記入力手段により入力されたＲＩ管理情報を保存する記憶手段と、
前記入力手段により入力されたＲＩ管理情報に含まれるＲＩが投与された被検体から放射される放射線を検出して画像データを生成する撮影手段と、
前記入力手段により入力されたＲＩ管理情報に含まれる操作者情報、及び予め設定された期間における検査時刻の情報を有するＲＩ管理情報を、前記記憶手段から読み出して前記操作者の被曝に関するＲＩ管理データを算出する算出手段と、
前記算出手段により算出されたＲＩ管理データが予め設定した警告値以上である場合に、警告情報を出力する出力制御手段とを
備えたことを特徴とする核医学診断装置。
【請求項２】
前記記憶手段に保存されたＲＩ管理情報には、前記被検体に投与されたＲＩの放射能量が含まれており、
前記算出手段により算出されたＲＩ管理データは、前記記憶手段から読み出された放射能量の合計であることを特徴とする請求項１に記載の核医学診断装置。
【請求項３】
前記記憶手段に保存されたＲＩ管理情報には、検査時間が含まれており、
前記算出手段により算出されたＲＩ管理データは、前記記憶手段から読み出された検査時間の合計であることを特徴とする請求項１に記載の核医学診断装置。
【請求項４】
前記算出手段により算出されたＲＩ管理データは、前記記憶手段から読み出されたＲＩ管理情報の数であることを特徴とする請求項１に記載の核医学診断装置。
【請求項５】
前記記憶手段に保存されたＲＩ管理情報には、前記被検体に投与されたＲＩの放射能量及び検査時間が含まれており、
前記算出手段により算出されたＲＩ管理データは、前記記憶手段から読み出されたＲＩ管理情報毎にこのＲＩ管理情報に含まれる放射能量に検査時間を乗じて求められたデータの合計であることを特徴とする請求項１に記載の核医学診断装置。
【請求項６】
核医学診断装置と、この核医学診断装置から得られたＲＩ管理情報を管理するＲＩ管理装置とがネットワークにより接続されたＲＩ管理システムであって、
前記核医学診断装置は、
検査毎に被検体に投与するＲＩの情報及びこの被検体を検査する操作者の情報を含むＲＩ管理情報を入力する入力手段と、
前記入力手段により入力されたＲＩ管理情報に含まれるＲＩが投与された被検体から放射される放射線を検出して画像データを生成する撮影手段と、
前記入力手段により入力されたＲＩ管理情報を、前記ネットワークを介して前記ＲＩ管理装置に送信すると共に、この送信により前記ＲＩ管理装置から返信される情報を受信する送受信手段とを有し、
前記ＲＩ管理装置は、前記ネットワークを介して前記核医学診断装置から送信されたＲＩ管理情報を受信する受信手段と、
前記受信手段により受信したＲＩ管理情報を保存する記憶手段と、
前記受信手段により受信したＲＩ管理情報に含まれる操作者情報、及び予め設定された期間における検査時刻の情報を有するＲＩ管理情報を、前記記憶手段から読み出してＲＩ管理データを算出する算出手段と、
前記算出手段により算出されたＲＩ管理データが予め設定した警告値以上である場合に、警告情報を、前記ネットワークを介して前記核医学診断装置に送信する送信手段とを有し、
前記核医学診断装置は、前記ネットワークを介して前記ＲＩ管理装置から返信された警告情報を、前記送受信手段により受信して前記出力手段に出力するようにしたことを特徴とするＲＩ管理システム。
【発明の詳細な説明】
【技術分野】
【０００１】
本発明は、核医学診断装置及びＲＩ管理システムに係り、核医学診断装置に用いられる放射性同位元素を管理する核医学診断装置及びＲＩ管理システムに関する。
【背景技術】
【０００２】
画像診断には、主として形の変化を見る形態画像と、機能の変化を見る機能画像に分類でき、形態画像を得るための形態画像診断装置には、Ｘ線診断装置、Ｘ線ＣＴ装置、超音波診断装置、ＭＲＩ装置などがあり、機能画像を得るための機能画像診断装置には、ＰＥＴ（Ｐｏｓｉｔｒｏｎ・Ｅｍｉｓｓｉｏｎ・Ｔｏｍｏｇｒａｐｈｙ）装置、ＳＰＥＣＴ（Ｓｉｎｇｌｅ・Ｐｈｏｔｏｎ・Ｅｍｉｓｓｉｏｎ・Ｃｏｎｐｕｔｅｄ・Ｔｏｍｏｇｒａｐｈｙ）装置等の核医学診断装置がある。
【０００３】
この核医学診断装置は、腫瘍、脳の機能障害等の医学的診断に用いられている。ＰＥＴ装置では、ポジトロンを放射する放射性同位元素（ＲＩ：Ｒａｄｉｏ  Ｉｓｏｔｏｐｅ）で標識した放射性薬剤を被検体内に投与し、この薬剤が腫瘍等の部位に集積してＲＩから放射されるポジトロンの撮影により得られたＰＥＴ画像データに、腫瘍等の部位が現われることになる。ＳＰＥＣＴ装置では、シングルフォトンを放射するＲＩで標識した放射性薬剤を被検体に投与し、ＲＩから放射されるシングルフォトンの撮影により得られたＳＰＥＣＴ画像データに、腫瘍等の部位が現われることになる。
【０００４】
このように、核医学診断装置にはＲＩが使用されるので、診療放射線技師等の放射線取扱者は、放射線を検出する蛍光ガラス線量計、熱ルミネッセンス線量計、フィルムバッジ等の個人線量計を着用することが義務付けられている。これらの個人線量計は、例えば放射線サービス機関などの第三者により放射線量が測定され、この測定結果が施設管理者及び放射線取扱者に報告される。
【０００５】
最近では、放射線量の測定が可能な半導体の検出器及び測定結果を表示する表示部が組み込まれた電子線量計により、放射線取扱者本人がその場で放射線量を確認することができるようになっている。
【０００６】
しかしながら、電子線量計は、駆動源としてバッテリーを使用しているため、一度、電気的な不具合が生じてしまうと、表示していたデータが消失したり、放射線量を誤表示してしまうため、電子線量計と、蛍光ガラス線量計、熱ルミネッセンス線量計、フィルムバッジのいずれか１つとを着脱自在に取り付けた線量計が提案されている（例えば、特許文献１参照。）。
【特許文献１】特開平１１−２３７１７号公報
【発明の開示】
【発明が解決しようとする課題】
【０００７】
しかしながら、蛍光ガラス線量計、熱ルミネッセンス線量計、フィルムバッジ等の個人線量計の放射線量は一定期間着用後毎に測定されるので、電子線量計が不具合を生じているときに一定期間の被曝量が基準値よりも多かった場合には、過度の被曝後に発見されるため、被曝による操作者への悪影響を未然に防ぐことができない問題がある。
【０００８】
本発明は、上記問題点を解決するためになされたもので、ＲＩによる被曝量の管理を行うことが可能な核医学診断装置及びＲＩ管理システムを提供することを目的とする。
【課題を解決するための手段】
【０００９】
上記目的を達成するために、請求項１に係る本発明の核医学診断装置は、検査毎に被検体に投与するＲＩの情報及びこの被検体の検査を行う操作者の情報を含むＲＩ管理情報を入力する入力手段と、前記入力手段により入力されたＲＩ管理情報を保存する記憶手段と、前記入力手段により入力されたＲＩ管理情報に含まれるＲＩが投与された被検体から放射される放射線を検出して画像データを生成する撮影手段と、前記入力手段により入力されたＲＩ管理情報に含まれる操作者情報、及び予め設定された期間における検査時刻の情報を有するＲＩ管理情報を、前記記憶手段から読み出して前記操作者の被曝に関するＲＩ管理データを算出する算出手段と、前記算出手段により算出されたＲＩ管理データが予め設定した警告値以上である場合に、警告情報を出力する出力制御手段とを備えたことを特徴とする。
【００１０】
また、請求項６に係る本発明のＲＩ管理システムは、核医学診断装置と、この核医学診断装置から得られたＲＩ管理情報を管理するＲＩ管理装置とがネットワークにより接続されたＲＩ管理システムであって、前記核医学診断装置は、検査毎に被検体に投与するＲＩの情報及びこの被検体を検査する操作者の情報を含むＲＩ管理情報を入力する入力手段と、前記入力手段により入力されたＲＩ管理情報に含まれるＲＩが投与された被検体から放射される放射線を検出して画像データを生成する撮影手段と、前記入力手段により入力されたＲＩ管理情報を、前記ネットワークを介して前記ＲＩ管理装置に送信すると共に、この送信により前記ＲＩ管理装置から返信される情報を受信する送受信手段とを有し、前記ＲＩ管理装置は、前記ネットワークを介して前記核医学診断装置から送信されたＲＩ管理情報を受信する受信手段と、前記受信手段により受信したＲＩ管理情報を保存する記憶手段と、前記受信手段により受信したＲＩ管理情報に含まれる操作者情報、及び予め設定された期間における検査時刻の情報を有するＲＩ管理情報を、前記記憶手段から読み出してＲＩ管理データを算出する算出手段と、前記算出手段により算出されたＲＩ管理データが予め設定した警告値以上である場合に、警告情報を、前記ネットワークを介して前記核医学診断装置に送信する送信手段とを有し、前記核医学診断装置は、前記ネットワークを介して前記ＲＩ管理装置から返信された警告情報を、前記送受信手段により受信して前記出力手段に出力するようにしたことを特徴とする。
【発明の効果】
【００１１】
本発明によれば、検査で使用するＲＩの情報を検査毎に入力することにより、操作者のＲＩ管理データを算出し、算出したＲＩ管理データが警告値以上である場合に、警告情報を出力することができるので、操作者の放射線による被曝量を管理することができ、被曝による操作者への悪影響を未然に防ぎ、安全の確保を図ることができる。
【発明を実施するための最良の形態】
【００１２】
以下、本発明の実施例を、図面を参照して説明する。
【実施例１】
【００１３】
以下に、本発明に係る核医学診断装置の実施例１を、図１乃至図９を参照して説明する。なお、核医学診断装置としてＰＥＴ装置、ＳＰＥＣＴ装置等が適用可能であるが、ここではＳＰＥＣＴ装置に適用した場合について説明する。
【００１４】
図１は、実施例１に係るＳＰＥＣＴ装置の構成を示すブロック図である。このＳＰＥＣＴ装置１０は、被検体Ｐに投与した放射性同位元素（ＲＩ）から放射される放射線を検出して被検体Ｐの撮影を行う撮影部１と、ＲＩによるＳＰＥＣＴ装置１０の操作者の被曝量を管理するためのＲＩ管理データを算出するＲＩ管理部２とを備えている。
【００１５】
また、ＳＰＥＣＴ装置１０は、撮影部１の撮影により生成された画像データやＲＩ管理部２で算出されたＲＩ管理データを出力する出力部３と、撮影条件の設定、ＲＩによる被曝量を管理するためのＲＩ管理情報の設定、各種コマンドの入力などを行なう操作部４と、撮影部１、ＲＩ管理部２、及び出力部３を統括して制御するシステム制御部５とを備えている。
【００１６】
撮影部１は、被検体Ｐが載置される寝台１１と、被検体Ｐに投与したＲＩから放射される放射線を検出して電気信号に変換する検出部１２と、寝台１１及び検出部１２を夫々駆動する機構部１４と、検出部１２から出力される信号から画像データを生成する画像データ生成部１３とを備えている。
【００１７】
検出部１２は、特定方向からの放射線を入射させるコリメータ１２１と、コリメータ１２１から入射した放射線を検出して電気信号に変換する検出器１２２とにより構成され、放射線の検出面以外は、鉛などの放射線遮蔽材で覆われている。また、検出器１２２の検出面が被検体Ｐの体軸に対して平行になるように、図示しないアームによって支持されている。
【００１８】
コリメータ１２１は、検出器１２２の検出面上に装着され、この検出面に対して垂直方向からの放射線を入射させるための２次元に配列された多数の孔を有している。なお、被検体Ｐを介して検出器１２２に対向配置される体軸に平行な仮想の焦軸と、検出面とを結ぶ体軸に垂直な直線に平行な放射線を入射させるための２次元に配列された多数の孔を有するファンビームコリメータであってもよい。
【００１９】
検出器１２２は、コリメータ１２１から入射した放射線を検出して光に変換するシンチレータと、シンチレータから出力する光を電気信号に変換する光電管とにより構成され、変換した電気信号を画像データ生成部１３に出力する。なお、テルル化カドミウムなどの半導体にバイアス電極と信号電極とを貼り合わせてなる半導体素子が２次元的に配列された半導体検出器であってもよい。
【００２０】
機構部１４は、被検体Ｐが載置された寝台１１を長手方向及び上下方向に移動する移動機構１４１と、被検体Ｐの体軸を回転軸として検出部１２を矢印Ｒ１方向に回転させる回転機構１４２と、移動機構１４１及び回転機構１４２を駆動制御する機構制御部１４３とを備えている。
【００２１】
画像データ生成部１３は、機構部１４の回転機構１４２によりＲ１方向に回転する検出部１２の検出器１２２から出力された信号を収集して投影データを生成する収集部１３１と、収集部１３１から出力される投影データを再構成して画像データを生成する再構成部１３２とを備えている。そして、再構成部１３２で生成された画像データは、出力部３に出力される。
【００２２】
ＲＩ管理部２は、操作者を識別するための操作者情報、被検体Ｐに投与するＲＩの種類や投与量のＲＩ情報、検査時刻の情報、及び検査時間の情報等のＲＩ管理情報を保存するＲＩ情報記憶部２１と、ＲＩ情報記憶部２１に保存されたＲＩ管理情報を読み出してＲＩ管理データを算出する演算部２２とを備えている。
【００２３】
ＲＩ情報記憶部２１は、検査毎にシステム制御部５から供給されるＲＩ管理情報を保存する。また、システム制御部５から供給される操作者情報の他、警告情報を出力させるための警告値の情報、及び被曝量を管理する期間の情報等の警告条件を保存する。
【００２４】
演算部２２は、予め設定された警告条件に基づいて、検査終了毎にこの検査日から過去にさかのぼった警告条件の期間における検査時刻の情報及びこの検査で設定された操作者情報を有するＲＩ管理情報を、ＲＩ情報記憶部２１から読み出して前記操作者の被曝に関するＲＩ管理データを算出する。そして、算出したＲＩ管理データが警告条件の警告値以上である場合に、警告情報を出力部３に出力する。
【００２５】
また、操作者情報、ＲＩ管理データの種類である演算項目の情報、及び対象期間の情報からなる演算条件を設定入力する操作が操作部４から行われると、その演算条件を含んでいるＲＩ管理情報をＲＩ情報記憶部２１から読み出してＲＩ管理データを算出する。そして、算出したＲＩ管理データを一覧表やグラフにして出力部３に出力する。
【００２６】
出力部３は、撮影部１の画像データ生成部１３における再構成部１３２から出力された画像データや、ＲＩ管理部２の演算部２２から出力されたＲＩ管理データなどを表示出力する表示部３１と、演算部２２から出力されたＲＩ管理データを印刷出力する印刷部３２とを備えている。
【００２７】
表示部３１は、液晶パネルやＣＲＴなどのモニタを備え、再構成部１３２から出力された画像データや、演算部２２から出力されたＲＩ管理データ及び警告情報などを表示する。また、ＲＩ管理情報を入力するためのＲＩ情報設定画面、演算条件を設定するための演算条件設定画面、警告条件を設定するための警告条件設定画面、ＲＩ管理データを表示するためのＲＩ管理データ表示画面及びＲＩ管理グラフ表示画面などを表示する。印刷部３２は、プリンタを備え、再構成部１３２から出力されたＲＩ管理データを印刷表示する。
【００２８】
なお、出力部３には、上記に述べた出力以外にも、音声出力する音声部を設け、演算部２２から出力された警告情報を音声出力させるようにしてもよい。
【００２９】
操作部４は、キーボード、トラックボール、ジョイスティック、マウスなどの入力デバイスや表示パネル、各種スイッチ等を備え、被検体Ｐを撮影するための撮影条件の設定操作や、検査開始及び検査終了操作が行われる。また、ＲＩ管理情報、演算条件、及び警告条件の設定操作が行われる。
【００３０】
システム制御部５は、図示しないＣＰＵと記憶回路５１を備え、操作部４から供給されるコマンド信号や撮影条件、ＲＩ管理情報、演算条件、警告条件などの入力情報を、記憶回路５１に保存した後、これらの情報に基づいた画像データの生成、警告情報の出力、ＲＩ管理データの出力に関する制御などシステム全体の制御を行う。
【００３１】
また、操作部４から供給される、検査開始操作信号による検査時刻の情報、検査開始操作から検査終了操作信号までの検査に要した検査時間の情報、操作者情報、及びＲＩ情報からなるＲＩ管理情報をＲＩ管理部２のＲＩ情報記憶部２１に出力する。
【００３２】
次に、図２乃至図６を参照して、出力部３の表示部３１に表示されるＲＩ情報設定画面、演算条件設定画面、ＲＩ管理データ表示画面、ＲＩ管理グラフ表示画面、及び警告条件設定画面について説明する。
【００３３】
図２は、表示部３１に表示されるＲＩ情報設定画面の一例を示した図である。このＲＩ情報設定画面３１１は、ＲＩ管理情報を設定するための「操作者」、「ＲＩ」、及び「投与量」の欄と、ＲＩ管理情報以外の「読映者」及び「部位」の欄と、各欄に対応する情報を設定又は選択するためのダイアログボックス３１１ａ乃至３１１ｅとにより構成される。
【００３４】
そして、検査開始前に、操作部４から各欄に対応した各ダイアログボックス３１１ａ乃至３１１ｅ内への設定又は選択入力操作が行われると、「操作者」、「読映者」、「ＲＩ」、及び「投与量」の欄への入力情報が、システム制御部５の記憶回路５１に保存される。そして、操作部４から検査終了操作が行われると、「操作者」、「ＲＩ」、及び「投与量」の欄への入力情報が検査時刻及び検査時間の情報と共にＲＩ管理情報として、ＲＩ管理部２のＲＩ情報記憶部２１に保存される。
【００３５】
ＳＰＥＣＴ装置１０で被検体Ｐを検査する操作者の氏名やＩＤなどの操作者情報である例えば「ＮＨ」を設定する操作が行われると、システム制御部５の記憶回路５１に設定入力された「ＮＨ」が保存されると共に、「操作者」の欄に対応するダイアログボックス３１１ａ内に「ＮＨ」が表示される。
【００３６】
被検体Ｐの検査により得られた画像データを読映する読映者の氏名である例えば「ＡＢ」を設定する操作が行われると、記憶回路５１に設定入力された「ＡＢ」が保存されると共に、「読映者」の欄に対応するダイアログボックス３１１ｂ内に「ＡＢ」が表示される。
【００３７】
被検体Ｐの検査を行う部位である例えば「Ｐｕｌｍｏｎａｒｙ」を選択する操作が行われると、予め設定されている複数の部位の中から選択入力された「Ｐｕｌｍｏｎａｒｙ」が記憶回路５１に保存されると共に、「部位」の欄に対応するダイアログボックス３１１ｃ内に「Ｐｕｌｍｏｎａｒｙ」が表示される。
【００３８】
被検体Ｐに投与するＲＩの種類である例えば「Ｔｃ−９９ｍ」を選択する操作が行われると、予め設定されている複数のＲＩの中から選択入力された「Ｔｃ−９９ｍ」が記憶回路５１に保存されると共に、「ＲＩ」の欄に対応するダイアログボックス３１１ｄ内に「Ｔｃ−９９ｍ」が表示される。
【００３９】
「ＲＩ」の欄のダイアログボックス３１１ｄ内に選択入力したＲＩを被検体Ｐに投与する投与量を放射能量として例えば「２０５ＭＢｑ」を設定する操作が行われると、記憶回路５１に設定入力された「２０５ＭＢｑ」が保存されると共に、「投与量」の欄に対応するダイアログボックス３１１ｅ内に「２０５ＭＢｑ」が表示される。
【００４０】
図３は、表示部３１に表示される演算条件設定画面の一例を示した図である。この演算条件設定画面３２１は、演算条件を選択又は設定するための演算条件設定エリア３２１ａと、ＲＩ管理データの出力条件を選択するための出力条件選択エリア３２１ｂとにより構成される。そして、操作部４から演算条件を選択又は設定するための入力操作が行われると、ＲＩ管理部２の演算部２２は、その演算条件に応じたＲＩ管理情報をＲＩ情報記憶部２１から読み出してＲＩ管理データを算出する。
【００４１】
演算条件設定エリア３２１ａは、演算条件である「操作者」、「対象期間」、及び「演算項目」の欄と、各欄に対応した各ダイアログボックス３２１ｃ乃至３２１ｊとにより構成される。
【００４２】
ＲＩ情報記憶部２１に保存されているＲＩ管理情報に含まれる操作者情報の中から、所望の操作者情報を選択する操作が行われると、「操作者」の欄に対応するダイアログボックス３２１ｃ内に選択入力された操作者情報が表示される。
【００４３】
検査の期間を設定するための開始時期及び終了時期を設定する操作が行われると、「対象期間」の欄に対応するダイアログボックス３２１ｄ内に設定入力された開始時期が表示され、ダイアログボックス３２１ｅ内に設定入力された終了時期が表示される。
【００４４】
「演算項目」の欄は、「ＲＩ別」、「検査数」、「投与量」、「検査時間」、及び「（投与量）×（検査時間）」の項目欄と、各項目欄に対応する各ダイアログボックス３２１ｆ乃至３２１ｊとにより構成される。そして、操作部４から各項目欄を設定する操作が行われると、各項目欄に対応する各ダイアログボックス３２１ｆ乃至３２１ｊ内に「レ」が表示される。
【００４５】
「検査数」の項目欄が設定されると、「ＲＩ別」の項目欄が設定されている場合には、「操作者」の欄に選択入力された操作者情報、及び「対象期間」の欄に設定入力された期間内の検査時刻の情報を有するＲＩ管理情報を、ＲＩ情報記憶部２１から読み出す。次いで、読み出したＲＩ管理情報に含まれる検査時刻の数をＲＩ別に算出する。また、「ＲＩ別」の項目欄が未設定である場合には、読み出したＲＩ管理情報に含まれる検査時刻の数を算出する。
【００４６】
「投与量」の項目欄が設定されると、「ＲＩ別」の項目欄が設定されている場合には、「操作者」の欄に選択入力された操作者情報、及び「対象期間」の欄に設定された期間内の検査時刻の情報を有するＲＩ管理情報を、ＲＩ情報記憶部２１から読み出す。次いで、読み出したＲＩ管理情報に含まれる投与量の総和をＲＩ別に算出する。また、「ＲＩ別」の項目欄が未設定である場合には、読み出したＲＩ管理情報に含まれる投与量の総和を算出する。
【００４７】
「検査時間」の項目欄が設定されると、「ＲＩ別」の項目欄が設定されている場合には、「操作者」の欄に選択入力された操作者情報、及び「対象期間」の欄に設定された期間内の検査時刻の情報を有するＲＩ管理情報を、ＲＩ情報記憶部２１から読み出す。次いで、読み出したＲＩ管理情報に含まれる検査時間の総和をＲＩ別に算出する。また、「ＲＩ別」の項目欄が未設定である場合には、読み出したＲＩ管理情報に含まれる検査時間の総和を算出する。
【００４８】
「（投与量）×（検査時間）」の項目欄が設定されると、「ＲＩ別」の項目欄が設定されている場合には、「操作者」の欄に選択入力された操作者情報、及び「対象期間」の欄に設定された期間内の検査時刻の情報を有するＲＩ管理情報を、ＲＩ情報記憶部２１から読み出す。次いで、読み出したＲＩ管理情報に含まれる投与量に検査時間を乗じてＲＩ管理データを算出し、ＲＩ管理情報毎に算出したＲＩ管理データの総和をＲＩ別に算出する。また、「ＲＩ別」の項目欄が未設定である場合には、ＲＩ管理情報毎に算出したＲＩ管理データの総和を算出する。
【００４９】
ここでは、演算条件設定エリア３２１ａの「操作者」の欄に例えば操作者情報である「ＮＨ」を選択入力する。「対象期間」の欄に開始時期である「２００６年２月１日」及び終了時期である「２００６年２月２８日」を設定入力する。「演算項目」の欄にすべての項目欄を設定入力する。この演算条件を設定する操作を操作部４から行うことにより、設定入力された演算条件がシステム制御部５の記憶回路５１に保存される。
【００５０】
出力条件選択エリア３２１ｂは、演算条件設定エリア３２１ａで選択又は設定入力した演算条件に基づいて、ＲＩ管理データの出力条件を選択入力するための「一覧表示」ボタン３２１ｋ、「グラフ」ボタン３２１ｍ、及び「印刷」ボタン３２１ｎにより構成される。
【００５１】
そして、操作部４の例えばマウスを用いて「一覧表示」ボタン３２１ｋをクリックする出力操作が行われると、演算部２２はＲＩ管理データを算出し、算出したＲＩ管理データの一覧表を表示部３１に出力する。また、「グラフ」ボタン３２１ｍをクリックする出力操作が行われると、算出したＲＩ管理データのグラフを表示部３１に出力する。更に、「印刷」ボタン３２１ｎをクリックする出力操作が行われると、算出したＲＩ管理データの一覧表及びグラフを出力部３の印刷部３２に出力する。
【００５２】
図４は、表示部３１に表示されるＲＩ管理データ表示画面の一例を示した図である。このＲＩ管理データ表示画面３３１は、「操作者」、「対象期間」、及び「ＲＩ管理データ一覧表」の欄により構成される。そして、演算条件設定画面３２１における出力条件選択エリア３２１ｂの「一覧表示」ボタン３２１ｋをクリックする出力操作を行うことにより、例えば演算条件設定画面３２１に表示されている演算条件に基づいて算出されたＲＩ管理データが一覧表３３２に表示される。
【００５３】
「操作者」の欄には、演算条件設定画面３２１における演算条件設定エリア３２１ａの「操作者」の欄に選択入力された操作者情報の「ＮＨ」が表示される。また、「対象期間」の欄には、演算条件設定エリア３２１ａの「対象期間」の欄に設定入力された開始時期の「２００６年２月１日」及び終了時期の「２００６年２月２８日」が表示される。
【００５４】
「ＲＩ管理データ一覧表」の欄には、「対象期間」の欄に表示された「２００６年２月１日〜２００６年２月２８日」におけるＲＩ管理データの一覧表が表示される。この一覧表３３２には、演算条件設定エリア３２１ａの「演算項目」の欄に設定入力された各項目欄に対応する「ＲＩ」、「検査数」、「投与量」、「検査時間」、及び「（投与量）×（検査時間）」の欄と、各欄に対応する「ＲＩ」の欄のＲＩ別に算出されたＲＩ管理データとが表示される。
【００５５】
また、「合計」の欄と、この「合計」の欄の「検査数」、「投与量」、「検査時間」、及び「（投与量）×(検査時間)」の各欄に対応するＲＩ管理データの合計とが表示される。
【００５６】
ここでは、「ＲＩ」の欄に例えばＲＩである「Ｆ−１８」、「Ｔｃ−９９ｍ」、「Ｔｌ−２０１」、及び「Ｉ−１２３」が表示されている。「検査数」の欄にＲＩ別に算出された「２０」、「１８」、「５」、及び「１０」が表示されている。「投与量」の欄にＲＩ別に算出された「２，１６５ＭＢｑ」、「３，７０２ＭＢｑ」、「７３４ＭＢｑ」、及び「１，１２３ＭＢｑ」が表示されている。「検査時間」の欄にＲＩ別に算出された「５３分１８秒」、「１時間２６分００秒」、「２１分３９秒」、及び「４２分１２秒」が表示されている。
【００５７】
また、「（投与量）×（検査時間）」の欄にＲＩ別に算出された「３４６ＧＢｑ・秒」、「１，００８ＧＢｑ・秒」、「４８ＧＢｑ・秒」、及び「１４２ＧＢｑ・秒」が表示されている。「合計」の欄に「検査数」、「投与量」、「検査時間」、及び「（投与量）×（検査時間）」の各欄のＲＩ管理データの合計である「５３」、「７，７２４ＭＢｑ」、「３時間２３分０９秒」、及び「１，５４４ＧＢｑ・秒」が表示されている。
【００５８】
図５は、表示部３１に表示されるＲＩ管理グラフ表示画面の一例を示した図である。このＲＩ管理グラフ表示画面３４１は、操作者情報が表示される「操作者」の欄と、「操作者」の欄に表示された操作者情報を有するＲＩ管理情報から算出されるＲＩ管理データのグラフが表示されるグラフ表示エリア３４２とにより構成される。
【００５９】
そして、演算条件設定画面３２１における出力条件選択エリア３２１ｂの「グラフ」ボタン３２１ｍをクリックする出力操作を操作部４から行うことにより、例えば演算条件設定画面３２１に表示されている演算条件に基づいて算出されたＲＩ管理データのグラフがグラフ表示エリア３４２に表示される。
【００６０】
「操作者」の欄には、演算条件設定画面３２１の「操作者」の欄に選択入力された「ＮＨ」が表示される。また、グラフ表示エリア３４２には、演算条件設定画面３２１の「対象期間」の欄に設定入力された２００６年２月１日〜２００６年２月２８日の期間におけるＲＩ管理データのグラフが表示される。
【００６１】
グラフ表示エリア３４２には、ＲＩ管理データ表示画面３３１の一覧表３３２における「検査数」の欄に表示された「ＲＩ」の欄の「Ｆ−１８」、「Ｔｃ−９９ｍ」、「Ｔｌ−２０１」、及び「Ｉ−１２３」に対応する「２０」、「１８」、「５」、及び「１０」のＲＩ管理データを、夫々グラフ化したグラフ３４３乃至３４６が表示されている。
【００６２】
なお、出力条件選択エリア３２１ｂにおける「グラフ」ボタン３２１ｍをクリックした出力操作の後に表示される、選択入力された項目欄に対応する「検査数」、「投与量」、「検査時間」、及び「（投与量）×（検査時間）」の中から例えば「投与量」を選択することにより、「投与量」のＲＩ管理データをＲＩ別にグラフ化した各グラフが表示される。また、「検査時間」や「（投与量）×（検査時間）」を選択することにより、「検査時間」や「（投与量）×（検査時間）」のＲＩ管理データをＲＩ別にグラフ化した各グラフが表示される。
【００６３】
グラフ表示エリア３４２に表示されたグラフ３４３では、２００６年２月１日から２００６年２月２８日までの期間における「Ｆ−１８」による検査の数が、例えば日別に棒グラフ表示される。グラフ３４４乃至３４６においても、詳細は図示しないが「Ｔｃ−９９ｍ」、「Ｔｌ−２０１」、「Ｉ−１２３」による検査数が夫々日別に棒グラフ表示される。
【００６４】
図６は、表示部３１に表示される警告条件設定画面の一例を示した図である。この警告条件設定画面３５１は、警告機能を設定するための「警告機能を有効にする」の欄と、警告機能を有効にする操作者を選択するための「操作者」の欄と、警告対象の期間を設定するための「管理期間」の欄と、各欄に対応するダイアログボックス３５１ａ及び３５１ｃと、警告値を設定するための警告値設定エリア３５１ｄとにより構成される。
【００６５】
そして、操作部４から警告条件設定の操作が行われると、設定入力された警告条件が、ＲＩ管理部２のＲＩ情報記憶部２１に保存される。
【００６６】
「警告機能を有効にする」の欄に警告を有効にする設定操作が行われると、「警告機能を有効にする」の欄に対応するダイアログボックス３５１ａ内に「レ」が表示されるとともに、「操作者」の欄、「管理期間」の欄、及び警告値設定エリア３５１ｄに設定された警告条件を有効にする。
【００６７】
ＲＩ管理情報に含まれる操作者情報の中から、所望の操作者情報を選択する操作が操作部４から行われると、「操作者」の欄に対応するダイアログボックス３５１ｂ内に選択入力された操作者情報であるＮＨが表示される。
【００６８】
検査の期間を設定する操作が行われると、「管理期間」の欄に対応するダイアログボックス３２１ｄ内に設定入力された期間である２９日が表示される。
【００６９】
警告値設定エリア３５１ｄは、「検査数」、「投与量」、「検査時間」、及び「（投与量）×（検査時間）」の欄と、警告値を設定するための各欄に対応するダイアログボックス３５１ｅ乃至３５１ｈとにより構成され、「検査数」、「検査時間」、「投与量」、「（投与量）×（検査時間）」の欄の内のいずれか１つのダイアログボックス内に警告値としてのＲＩ管理データが設定入力されると、他の３つのダイアログボックスには警告値を設定できないようになっている。
【００７０】
警告値を求める方法の一例を示す。まず、フィルムバッジやガラスバッジを着用した複数の操作者による一定期間の検査で使用されたＲＩ情報に基づいて、例えば（投与量）×（検査時間）のＲＩ管理データを求める。次いで、求めたＲＩ管理データと、その期間にフィルムバッジやガラスバッジから計測された放射線量との回帰式を求める。そして、求めた回帰式から安全なレベルの放射線量に対応するＲＩ管理データを警告値として定める。
【００７１】
ここでは、警告機能を有効にし、「操作者」、「管理期間」、及び「（投与量）×（検査時間）」の欄のダイアログボックス３５１ｂ，３５１ｃ，３５１ｈ内に、前述したように「ＮＨ」、「２９日」、及び（投与量）×（検査時間）として「１，６００ＧＢｑ・秒」の警告条件を設定する操作を行うことにより、設定入力された警告条件がＲＩ情報記憶部２１に保存される。
【００７２】
この警告条件設定操作後の「ＮＨ」の操作者情報を有する操作者の検査終了毎に、ＲＩ管理部２の演算部２２は、「ＮＨ」の操作者情報を有する警告条件をＲＩ情報記憶部２１から読み出す。次いで、読み出した警告条件に基づいて、その検査の日を含む２９日前までの検査時刻及び「ＮＨ」を有するＲＩ管理情報をＲＩ情報記憶部２１から読み出す。更に、読み出したＲＩ管理情報毎に（投与量）×（検査時間）のＲＩ管理データを算出する。そして、算出したＲＩ管理データの合計が１，６００ＧＢｑ・秒以上である場合に、警告情報を出力部３の表示部３１に出力する。
【００７３】
なお、「管理期間」の欄に期間の設定が行われなかった場合、ＲＩ情報記憶部２１に保存されているＲＩ管理情報の中から、「ＮＨ」を有するＲＩ管理情報を読み出した後、ＲＩ管理情報毎に（投与量）×（検査時間）のＲＩ管理データを算出する。そして、算出したＲＩ管理データの合計が１，６００ＧＢｑ・秒以上である場合に、表示部３１に警告情報を出力する。
【００７４】
次に、図１乃至図９を参照して、ＳＰＥＣＴ装置１０の動作を説明する。  
図７は、ＳＰＥＣＴ装置１０の動作の一例を示したフローチャートである。２００６年２月２８日の検査が終了したＳＰＥＣＴ装置１０のＲＩ管理部２におけるＲＩ情報記憶部２１には、２００６年２月１日〜２月２８日の検査時刻及び操作者情報「ＮＨ」を有するＲＩ管理情報として、例えばＲＩ管理データ表示画面３３の一覧表３３２に表示されたＲＩ管理データに相当するＲＩ管理情報が保存されている。また、警告条件設定画面３５１の警告値設定エリア３５１ｄに表示された警告条件が保存されている。
【００７５】
２００６年３月１日に、当日初めての検査として、被検体Ｐに対して検査Ａを行うことになった操作者情報「ＮＨ」の操作者が操作部４から待機操作を行うと、ＳＰＥＣＴ装置１０は各ユニットを待機状態にするための動作を開始する（ステップＳ１）。
【００７６】
そして、検査Ａを行うための撮影条件を設定する操作を操作部４から行うと、システム制御部５は、設定入力された撮影条件を記憶回路５１に保存する。また、検査Ａを行うために、ＲＩ情報設定画面３１１のＲＩ管理情報の各欄に表示された例えば「ＮＨ」、「Ｔｃ−９９ｍ」、及び「２０５ＭＢｑ」を設定する操作が行われると、「ＮＨ」、「Ｔｃ−９９ｍ」、及び「２０５ＭＢｑ」のＲＩ管理情報を記憶回路５１に保存する。
【００７７】
操作部４から検査開始操作が行われると、システム制御部５は、検査開始操作が行われた時の検査時刻の情報を、「ＮＨ」、「Ｔｃ−９９ｍ」、及び「２０５ＭＢｑ」と共に記憶回路５１に保存する。また、撮影部１、ＲＩ管理部２、出力部３に被検体Ｐの撮影を指示する。
【００７８】
撮影部１の検出部１２は、機構部１４による回転駆動により、Ｒ１方向に回転しながら被検体Ｐに投与されたＲＩである「Ｔｃ−９９ｍ」から放射される放射線を検出して、検出信号を画像データ生成部１３の収集部１３１に出力する。収集部１３１は、検出部１２から出力された信号から投影データを生成して再構成部１３２に出力する。再構成部１３２は、収集部１３１から出力された投影データから画像データを生成して出力部３の表示部３１に出力する。
【００７９】
表示部３１に画像データが表示された後に、操作部４からの操作者による検査Ａの終了操作が行われると、システム制御部５は、検査Ａの例えば検査時間である「１５分００秒」を、記憶回路５１に保存しておいた「ＮＨ」、「Ｔｃ−９９ｍ」、「２０５ＭＢｑ」、及び検査時刻の情報と共に、ＲＩ管理情報としてＲＩ情報記憶部２１に保存する（ステップＳ２）。
【００８０】
また、撮影部１及び出力部３に撮影動作停止を指示すると共に、ＲＩ管理部２にＲＩ管理を指示する。ＲＩ管理部２の演算部２２は、検査Ａを行うために設定入力された操作者情報「ＮＨ」を有する警告条件を、ＲＩ情報記憶部２１から読み出す。次いで、読み出した警告条件に基づいて、２００６年３月１日を含む２９日前までの期間である２００６年２月１日〜２００６年３月１日の期間における検査時刻の情報及び操作者情報「ＮＨ」を有するＲＩ管理情報をＲＩ情報記憶部２１から読み出す。更に、読み出したＲＩ管理情報毎に（投与量）×（検査時間）のＲＩ管理データを算出する。
【００８１】
そして算出したＲＩ管理データの合計が警告値未満である場合（ステップＳ５のいいえ）、ステップＳ６に移行する。また、算出したＲＩ管理データの合計が警告値以上である場合（ステップＳ５のはい）、警告情報を表示部３１に出力する（ステップＳ７）。
【００８２】
ここでは、ＲＩ管理データの合計は、ＲＩ管理データ表示画面３３１の一覧表３３２に表示された２００６年２月１日〜２００６年２月２８日の期間における「（投与量）×（検査時間）」の「合計」である「１，５４４ＧＢｑ・秒」に、検査Ａにおける投与量「２０５ＭＢｑ」に検査時間「１５分００秒」を乗じて算出される「１８５ＧＢｑ・秒」を加算する。従って、ＲＩ管理データの合計は「１，７２９ＧＢｑ・秒」となり、警告条件設定画面３５１に表示された警告値「１，６００ＧＢｑ・秒」を超えているので、検査Ａの終了操作が行われた時に警告情報が表示部３１に出力されることになる。
【００８３】
図８は、表示部３１に表示される警告情報表示画面の一例を示した図である。この警告情報表示画面３６１には、例えば「ＮＨさんの警告値は、１，６００ＧＢｑ・秒／２９日に設定されています。」や「３月１日１０時１５分に、ＮＨさんは警告値に達しました。ＲＩ管理データ表示画面、ＲＩ管理グラフ表示画面にてご確認ください。」などの警告情報が表示される。
【００８４】
このように、警告値に達した時に、警告情報を出力部３に出力させることにより、警告を受けた操作者は、ＲＩによる被曝量の管理を行うことができる。
【００８５】
ステップＳ７の後に、表示部３１に表示された演算条件設定画面３２１の「対象期間」の欄の終了時期を「２００６年３月１日」に変更入力した後、例えば「一覧表示」ボタン３２１ｋをマウスでクリックする操作が操作部４から行われると、演算部２２は、２００６年２月１日〜３月１日の期間の検査時刻の情報及び操作者情報「ＮＨ」を有するＲＩ管理情報を、ＲＩ情報記憶部２１から読み出す。次いで、読み出したＲＩ管理情報からＲＩ管理データを算出し、算出したＲＩ管理データの一覧表を表示部３１に出力する（図７のステップＳ８）。
【００８６】
図９は、表示部３１に表示されるＲＩ管理データ表示画面を示した図である。このＲＩ管理データ表示画面３３１ａでは、図４のＲＩ管理データ表示画面３３１の「対象期間」の欄の終了時期が「２００６年３月１日」に変更表示されている。また、ＲＩ管理データ表示画面３３１ａに表示された一覧表３３２aでは、ＲＩ管理データ表示画面３３１の一覧表３３２のＲＩ管理データに、検査ＡのＲＩ管理情報であるＲＩ「Ｔｃ−９９ｍ」、投与量「２０５ＭＢｑ」、検査時間「１５分００秒」、（投与量）×（検査時間）「１８５ＧＢｑ・秒」が加算されている。
【００８７】
一覧表３３２aでは、「Ｔｃ−９９ｍ」の「検査数」が「１９」になっている。これは、一覧表３３２における「Ｔｃ−９９ｍ」の「検査数」である「１８」に検査Ａの１検査分が加算されたことによる。
【００８８】
「Ｔｃ−９９ｍ」の「投与量」が「３９０７ＭＢｑ」になっている。これは、一覧表３３２における「Ｔｃ−９９ｍ」の「投与量」である「３，７０２ＭＢｑ」に、検査Ａで設定入力された「２０５ＭＢｑ」が加算されたことによる。
【００８９】
「Ｔｃ−９９ｍ」の「検査時間」が「１時間４１分００秒」になっている。これは、一覧表３３２における「Ｔｃ−９９ｍ」の「検査時間」である「１時間２０分００秒」に、検査Ａによる検査時間の「１５分００秒」が加算されたことによる。
【００９０】
「Ｔｃ−９９ｍ」の「（投与量）×（検査時間）」が「１，１９３ＧＢｑ・秒」になっている。これは、一覧表３３２における「Ｔｃ−９９ｍ」の「（投与量）×（検査時間）」である「１，００８ＧＢｑ・秒」に、検査Ａにおける「１８５ＧＢｑ・秒」が加算されたことによる。
【００９１】
「検査数」、「投与量」、「検査時間」、「（投与量）×（検査時間）」の「合計」が夫々「５４」、「７，９２９ＭＢｑ」、「３時間３８分０９秒」、「１，７２９ＧＢｑ・秒」になっている。これは、一覧表３３２における「検査数」、「投与量」、「検査時間」、「（投与量）×（検査時間）」の「合計」に、検査Ａによる１検査分、「２０５ＭＢｑ」、「１５分００秒」、「１８５ＧＢｑ・秒」が加算されたことによる。
【００９２】
ステップＳ５の「いいえ」又はステップＳ８の後に検査が行われる場合（ステップＳ６のはい）、ステップＳ２に戻る。また、当日の検査が終了した場合（ステップＳ６のいいえ）、操作部４から待機操作を行うことにより、システム制御部５は、撮影部１、ＲＩ管理部２、及び出力部３の動作を停止させる。そして、ＳＰＥＣＴ装置１０は、当日の検査を終了する（ステップＳ９）。
【００９３】
以上述べた本発明の実施例１によれば、検査毎に、操作部４から入力されたＲＩ管理情報をＲＩ情報記憶部２１に保存すると共に、予め設定された警告条件に基づいて入力されたＲＩ管理情報に含まれる操作者情報を有するＲＩ管理情報を、ＲＩ情報記憶部２１から読み出してＲＩ管理データを算出し、算出したＲＩ管理データが警告値以上である場合に警告情報を出力することができる。これにより、操作者の被曝量を管理することができ、被曝による操作者への悪影響を未然に防ぐことができる。
【実施例２】
【００９４】
以下に、本発明に係るＲＩ管理システムの実施例２を、図１０を参照して説明する。
【００９５】
図１０は、実施例２に係るＲＩ管理システムの構成を示すブロック図である。このＲＩ管理システム１００は、ネットワーク１１０を介してＳＰＥＣＴ装置１０ａ乃至１０ｎとＲＩ管理装置２００が接続されている。なお、ＳＰＥＣＴ装置１０ａの構成を説明し、ＳＰＥＣＴ装置１０ａと同様である各ＳＰＥＣＴ装置の説明を省略する。また、図１に示した実施例１と同じ構成のユニットについては同じ符号を付して説明を省略する。
【００９６】
ＳＰＥＣＴ装置１０ａは、被検体に投与したＲＩから放射される放射線を検出して画像データを生成する撮影部１と、撮影部１で生成された画像データや、ＲＩ管理装置２００から得られるＲＩ管理データや警告情報を出力する出力部３と、撮影条件、ＲＩ管理情報、演算条件、及び警告条件の設定や、各種コマンドの入力などを行なう操作部４と、ネットワーク１１０を介してＲＩ管理装置２００と情報の送受信を行うインターフェース６と、撮影部１、出力部３、及びインターフェース６を統括して制御するシステム制御部５ａとを備えている。
【００９７】
システム制御部５ａは、図示しないＣＰＵと記憶回路５１を備え、操作部４から供給されるコマンド信号や撮影条件、ＲＩ管理情報、警告条件、演算条件などの入力情報を、記憶回路５１に保存した後、これらの情報に基づいた画像データの生成、警告情報の出力、ＲＩ管理データの算出に関する制御などシステム全体の制御を行う。
【００９８】
そして、検査毎に、操作部４から供給される検査開始操作信号による検査時刻の情報、検査開始操作から検査終了操作信号までの検査に要した検査時間の情報、操作者情報、及びＲＩ情報からなるＲＩ管理情報を、インターフェース６に出力する。また、操作部４から供給される操作者情報、警告を出力させるための警告値情報、及び期間の情報からなる警告条件をインターフェース６に出力する。更に、操作部４から供給される操作者情報、ＲＩ管理データの種類である演算項目の情報、及び対象期間の情報からなる演算条件をインターフェース６に出力する。
【００９９】
インターフェース６は、システム制御部５ａから出力されたＲＩ管理情報、警告条件、及び演算条件を、ネットワーク１１０を介してＲＩ管理装置２００に送信する。また、ＲＩ管理情報の送信に応じて、ネットワーク１１０を介してＲＩ管理装置２００から返信される警告情報を受信する。更に、演算条件の送信に応じて、ネットワーク１１０を介してＲＩ管理装置２００から返信されるＲＩ管理データを受信する。
【０１００】
ＲＩ管理装置２００は、ネットワーク１１０を介してＳＰＥＣＴ装置１０ａ乃至１０ｎと情報の送受信を行うインターフェース６ｂと、インターフェース６ｂから出力されるＲＩ管理情報の保存やＲＩ管理データの算出などを行うＲＩ管理部２ｂと、ＲＩ管理部２ｂで算出されたＲＩ管理データを表示する表示部３１ｂと、各種コマンドの入力などを行なう操作部４ｂと、インターフェース６ｂ、ＲＩ管理部２ｂ、及び表示部３１ｂを統括して制御する制御部５ｂとを備えている。
【０１０１】
インターフェース６ｂは、ＳＰＥＣＴ装置１０ａ乃至１０ｎから送信されるＲＩ管理情報、警告条件、及び演算条件を、ネットワーク１１０を介して受信してＲＩ管理部２ｂに出力する。また、受信したＲＩ管理情報に応じてＲＩ管理部２ｂから出力される警告情報を、ネットワーク１１０を介してＲＩ管理情報の送信元に返信する。更に、受信した演算条件に応じてＲＩ管理部２ｂから出力されるＲＩ管理データを、ネットワーク１１０を介して演算条件の送信元に返信する。
【０１０２】
ＲＩ管理部２ｂは、インターフェース６ｂから出力されるＲＩ管理情報や警告条件を保存するＲＩ情報記憶部２１ｂと、ＲＩ情報記憶部２１ｂに保存されたＲＩ管理情報を読み出してＲＩ管理データを算出する演算部２２ｂとを備えている。
【０１０３】
演算部２２ｂは、インターフェース６ｂからＲＩ管理情報が出力されると、このＲＩ管理情報に含まれる操作者情報を有する警告条件をＲＩ情報記憶部２１ｂから読み出す。次いで、読み出した警告条件に警告機能の有効が設定されていると、その警告条件の操作者情報、期間の情報、及び警告値の情報に基づいて、その操作者情報及びＲＩ管理情報を受信した日から過去にさかのぼった前記期間内の検査時刻の情報を有するＲＩ管理情報を、ＲＩ情報記憶部２１ｂから読み出す。更に、読み出したＲＩ管理情報から前記警告値に対応するＲＩ管理データを算出し、算出したＲＩ管理データが前記警告値以上である場合に、警告情報をインターフェース６ｂに出力する。
【０１０４】
また、インターフェース６ｂから演算条件が出力されると、その演算条件に含まれる対象期間の検査時刻の情報及び操作者情報を有するＲＩ管理情報をＲＩ情報記憶部２１ｂから読み出す。次いで、前記演算条件に含まれる演算項目に基づいてＲＩ管理データを算出する。そして、算出したＲＩ管理データを、前記演算条件で選択された出力条件に基づいて一覧表やグラフにしてインターフェース６ｂに出力する。
【０１０５】
表示部３１ｂは、液晶パネルやＣＲＴなどのモニタを備え、インターフェース６ｂから出力されるＲＩ管理情報、警告条件、及び演算条件や、演算部２２ｂから出力される警告情報やＲＩ管理データなどを表示する。また、ＲＩ情報記憶部２１ｂに保存されたＲＩ管理情報や警告条件などを表示する。
【０１０６】
操作部４ｂは、キーボード、マウスなどの入力デバイスや各種スイッチ等を備え、ＲＩ情報記憶部２１ｂに保存されたＲＩ管理情報や警告条件を操作者情報毎に表示させるための操作が行われる。
【０１０７】
制御部５ｂは、図示しないＣＰＵと記憶回路を備え、操作部４ｂから供給されるコマンド信号や、インタフェース６ｂで受信するＲＩ管理情報、演算条件などの受信情報に基づいた警告情報の出力、ＲＩ管理データの算出に関する制御などシステム全体の制御を行う。
【０１０８】
上述のとおり、ＳＰＥＣＴ装置１０ａとＲＩ管理装置２００がネットワーク１１０を介して接続されている構成では、操作部４から供給されるＲＩ管理情報、警告条件、及び演算条件や、演算部２２ｂから出力されるＲＩ管理データ及び警告情報が、インターフェース６、ネットワーク１１０、インターフェース６ｂを介して送受信される点が、実施例１における動作と異なるが、図７のフローチャートと同様に各ステップが実行されるので、動作の説明を省略する。
【０１０９】
以上述べた本発明の実施例２によれば、検査毎に、操作部４から入力されたＲＩ管理情報をＲＩ情報記憶部２１ｂに保存すると共に、予め設定された警告条件に基づいて入力されたＲＩ管理情報に含まれる操作者情報を有するＲＩ管理情報を、ＲＩ情報記憶部２１ｂから読み出してＲＩ管理データを算出し、算出したＲＩ管理データが警告値以上である場合に警告情報を出力することができる。
【０１１０】
また、操作者が複数のＳＰＥＣＴ装置を用いて検査を行った場合でも、複数の装置に亘って入力されたＲＩ管理情報からＲＩ管理データを算出し、算出したＲＩ管理データが警告値以上である場合に警告情報を出力することができる。
【０１１１】
これにより、操作者の放射線による被曝量を管理することができ、被曝による操作者への悪影響を未然に防ぐことができる。
【図面の簡単な説明】
【０１１２】
【図１】本発明の実施例１に係るＳＰＥＣＴ装置の構成を示すブロック図。
【図２】本発明の実施例１に係る表示部に表示されるＲＩ情報設定画面の一例を示す図。
【図３】本発明の実施例１に係る表示部に表示される演算条件設定画面の一例を示す図。
【図４】本発明の実施例１に係る表示部に表示されるＲＩ管理データ表示画面の一例を示す図。
【図５】本発明の実施例１に係る表示部に表示されるＲＩ管理グラフ表示画面の一例を示す図。
【図６】本発明の実施例１に係る表示部に表示される警告条件設定画面の一例を示す図。
【図７】本発明の実施例１に係るＳＰＥＣＴ装置の動作の一例を示すフローチャート。
【図８】本発明の実施例１に係る表示部に表示される警告情報表示画面の一例を示す図。
【図９】本発明の実施例１に係る表示部に表示されるＲＩ管理データ表示画面の一例を示す図。
【図１０】本発明の実施例２に係るＲＩ管理システムの構成を示すブロック図。
【符号の説明】
【０１１３】
Ｐ  被検体
１  撮影部
２，２ｂ  ＲＩ管理部
３  出力部
４  操作部
５，５ａ  システム制御部
１０，１０ａ乃至１０ｎ  ＳＰＥＣＴ装置
１１  寝台
１２  検出部
１３  画像データ生成部
１４  機構部
２１，２１ｂ  ＲＩ情報記憶部
２２，２２ｂ  演算部
３１，３１ｂ  表示部
３２  印刷部
１２１  コリメータ
１２２  検出器
１３１  収集部
１３２再構成部
１４１  移動機構
１４２  回転機構
１４３  機構制御部
【図１】
2007327864.tif 000003
【図２】
2007327864.tif 000004
【図３】
2007327864.tif 000005
【図４】
2007327864.tif 000006
【図５】
2007327864.tif 000007
【図６】
2007327864.tif 000008
【図７】
2007327864.tif 000009
【図８】
2007327864.tif 000010
【図９】
2007327864.tif 000011
【図１０】
2007327864.tif 000012